(57)【要約】【課題】金属製のフレーム材を曲げ加工することにより形成したフレームの曲げ加工部分の補強と遮光に好適なフレーム補強部材と、該フレーム補強部材を設けたフレーム、および該フレームを有するテレビ装置を提供する。【解決手段】フレーム１０７は、金属製のフレーム材１０を曲げ加工することにより形成されており、フレームは、金属製のフレーム材１０の曲げ加工位置に曲げ孔部と該曲げ孔部につながるＶ字状のカット部が設けられ、Ｖ字状のカット部によってフレーム材に形成された２辺が対向するまで折り曲げられている。曲げ加工されたフレームのコーナ部には、Ｖ字状のカット部の両側でフレームに固着されるフック２１と、フレーム材の２辺が対向する間隙部を遮光する遮光部を有するフレーム補強部材２０が設けられている。【選択図】図５
2015191078.tif 000002
【特許請求の範囲】
【請求項１】
金属製のフレーム材を曲げ加工することにより形成したフレームに用いられるフレーム補強部材であって、前記フレームは、前記フレーム材の曲げ加工位置に曲げ孔部と該曲げ孔部につながるＶ字状のカット部が設けられ、前記Ｖ字状のカット部によってフレーム材に形成された２辺が対向するまで曲げられており、前記フレーム補強部材は、前記Ｖ字状のカット部の両側で前記フレームに固着される固着部と、前記２辺が対向する間隙部を遮光する遮光部を有することを特徴とするフレーム補強部材。
【請求項２】
前記フレーム補強部材は、さらに前記フレーム材に設けた前記曲げ孔部を遮光する遮光部を有することを特徴とする請求項１に記載のフレーム補強部材。
【請求項３】
前記フレーム補強部材の固着部は、前記フレーム材の前記Ｖ字状のカット部の両側に設けた固着用孔に嵌るフックであることを特徴とする請求項１または２に記載のフレーム補強部材。
【請求項４】
前記フレーム補強部材の固着部は、前記フレーム材を挟み、前記フレーム材の前記Ｖ字状のカット部の両側に設けた固着用孔に嵌る突起を有するクリップであることを特徴とする請求項１または２に記載のフレーム補強部材。
【請求項５】
前記フレーム補強部材の固着部は、前記フレーム材の前記Ｖ字状のカット部の両側に設けた固着用孔に対向する固着用孔であり、前記フレーム材の固着用孔と前記フレーム補強部材の固着用孔とがプッシュリベットによって固着されることを特徴とする請求項１または２に記載のフレーム補強部材。
【請求項６】
金属製のフレーム材を曲げ加工することにより形成したフレームであって、前記フレームは、前記フレーム材の曲げ加工位置に曲げ孔部と該曲げ孔部につながるＶ字状のカット部が設けられ、前記Ｖ字状のカット部によってフレーム材に形成された２辺が対向するまで折り曲げられており、該折り曲げられた箇所には、前記Ｖ字状のカット部の両側で前記フレームに固着される固着部と、前記２辺が対向する間隙部を遮光する遮光部を有するフレーム補強部材が設けられていることを特徴とするフレーム。
【請求項７】
請求項６に記載のフレームを有することを特徴とするテレビ装置。
【発明の詳細な説明】
【技術分野】
【０００１】
本発明は、フレーム補強部材、フレーム、および、テレビ装置に関し、詳しくは液晶表示装置等のバックライト光源を有する表示装置に好適なフレームとそのフレーム補強部材、およびそのフレームを用いたテレビ装置に関する。
【背景技術】
【０００２】
近年、テレビ装置の薄型化あるいは狭額縁化か進んでおり、液晶テレビのアルミフレームも、押し出し成形された長尺のフレーム材を曲げ加工して枠型に形成したものが用いられている。このような曲げ加工によって一体に構成されたフレームは、それぞれ各辺を別個に製作した４ピースからなるフレームよりも組立が簡単で部品点数も少なくすることができる。
【０００３】
例えば、特許文献１には、金属製の加工材のカバー部に対応する部分の複数個所をＶ宇状に切り欠き、切り欠かれた部分の枠部に対応する部分を曲げ加工し、曲げ加工された加工材を用いて枠状の外装キャビネットを成形することが開示されている。また、特許文献２には、曲げ加工される部分に、曲げ加工前の状態では略逆台形の形状を呈する曲げ加工用の曲げ孔部を設け、この曲げ孔部に、加工時には互いが当接することで曲げ加工の量を所定に規制する二つの規制手段を形成したフレームが記載されている。
【先行技術文献】
【特許文献】
【０００４】
【特許文献１】特開２０１０−２６６６２３号公報
【特許文献２】特許第５１４９４１９号公報
【発明の概要】
【発明が解決しようとする課題】
【０００５】
特許文献１あるいは２に記載されたフレームは、フレーム材の曲げ加工部に孔やＶ字状の切欠きを設けるために、フレームとしての強度が局部的に弱くなり、このため、枠型に加工したフレーム単品をハンドリングする際に、例えば、フレームのゆがみを防止するための治具をフレームの四隅の必要な箇所に取り付けた状態にする必要があった。例えば、図８は、曲げ加工したフレーム２００とその隅に設けた治具２０１を示す図であり、治具２０１はフレーム２００のコーナの両側に設けた孔２０２に一時的に固着され、フレームを液晶テレビに組み込む際には治具２０１を取り外す必要があった。さらに、フレーム材のコーナとなる曲げ加工部分では、Ｖ字状に切欠いたフレーム材の２辺を当接させているが、加工精度によっては間隙部Ｂを生じるため、表示装置の内部からこの間隙を通じて光漏れを起こす場合かおり、別途遮光シールを設ける必要があった。
【０００６】
本発明は、これらの実情に鑑みてなされたものであり、金属製のフレーム材を曲げ加工することにより形成したフレームの曲げ加工部分の補強と遮光に好適なフレーム補強部材と、該フレーム補強部材を設けたフレーム、および該フレームを有するテレビ装置を提供することをその目的とする。
【課題を解決するための手段】
【０００７】
上記課題を解決するために、本発明の第１の技術手段は、金属製のフレーム材を曲げ加工することにより形成したフレームに用いられるフレーム補強部材であって、前記フレームは、前記フレーム材の曲げ加工位置に曲げ孔部と該曲げ孔部につながるＶ字状のカット部が設けられ、前記Ｖ字状のカット部によってフレーム材に形成された２辺が対向するまで曲げられており、前記フレーム補強部材は、前記Ｖ字状のカット部の両側で前記フレームに固着される固着部と、前記２辺が対向する間隙部を遮光する遮光部を有することを特徴としたものである。
【０００８】
本発明の第２の技術手段は、第１の技術手段において、前記フレーム補強部材は、さらに前記フレーム材に設けた前記曲げ孔部を遮光する遮光部を有することを特徴としたものである。
【０００９】
本発明の第３の技術手段は、第１または第２の技術手段において、前記フレーム補強部材の固着部は、前記フレーム材の前記Ｖ字状のカット部の両側に設けた固着用孔に嵌るフックであることを特徴としたものである。
【００１０】
本発明の第４の技術手段は、第１または第２の技術手段において、前記フレーム補強部材の固着部は、前記フレーム材を挟み、前記フレーム材の前記Ｖ字状のカット部の両側に設けた固着用孔に嵌る突起を有するクリップであることを特徴とするものである。
【００１１】
本発明の第５の技術手段は、第１または第２の技術手段において、前記フレーム補強部材の固着部は、前記フレーム材の前記Ｖ字状のカット部の両側に設けた固着用孔に対向する固着用孔であり、前記フレーム材の固着用孔と前記フレーム補強部材の固着用孔とがプッシュリベットによって固着されることを特徴としたものである。
【００１２】
本発明の第６の技術手段は、金属製のフレーム材を曲げ加工することにより形成したフレームであって、前記フレームは、前記フレーム材の曲げ加工位置に曲げ孔部と該曲げ孔部につながるＶ字状のカット部が設けられ、前記Ｖ字状のカット部によってフレーム材に形成された２辺が対向するまで折り曲げられており、該折り曲げられた箇所には、前記Ｖ字状のカット部の両側で前記フレームに固着される固着部と、前記２辺が対向する間隙部を遮光する遮光部を有するフレーム補強部材が設けられていることを特徴としたものである。
【００１３】
本発明の第７の技術手段は、テレビ装置であって、第６の技術手段を有することを特徴とするものである。
【発明の効果】
【００１４】
本発明によれば、金属製のフレーム材を曲げ加工することにより形成したフレームの曲げ加工部分の補強と遮光に好適なフレーム補強部材を提供することができ、フレームのハンドリングが容易となる。また、フレーム補強部材で補強されたフレームを有するテレビ装置は薄型化を損なうことなく光漏れをなくすことができる。
【図面の簡単な説明】
【００１５】
【図１】本発明に係るテレビ装置の一例の分解斜視図である。
【図２】本発明に係るテレビ装置の一例の断面図である。
【図３】本発明に係るフレームのフレーム材と曲げ加工部の一例を説明するための図である。
【図４】本発明に係るフレーム補強部材の一例を示す図である。
【図５】本発明に係るフレーム補強部材とフレームとの固着構造の一例を説明するための図である。
【図６】本発明に係るフレーム補強部材とフレームとの固着構造の他の一例を説明するための図である。
【図７】本発明に係るフレーム補強部材とフレームとの固着構造のさらに他の一例を説明するための図である。
【図８】従来のフレームと治具について説明するための図である。
【発明を実施するための形態】
【００１６】
以下、図面を参照しながら、本発明のフレーム補強部材、フレーム、および、テレビ装置に係る好適な実施の形態について説明する。以下の説明において、異なる図面においても同じ符号を付した構成は同様のものであるとして、その説明を省略する場合がある。
図１は、本発明に係るテレビ装置の一例の分解斜視図であり、図２は、本発明に係るテレビ装置の一例の断面図である。
【００１７】
テレビ装置１００は液晶テレビとして構成されており、外装を構成する側面キャビネットである枠状のミドルキャビネット１０７と、前側のフロントキャビネット１０１と、後側のリアキャビネット１０８を備えている。そして、この外装の内部には、前方から、液晶パネル１０２、光学シート群１０３、導光板１０４、ミドルシャーシ１０５、バックライトシャーシ１０６が配置されている。
【００１８】
ここで、ミドルキャビネット１０７が本発明のフレームに相当し、後述するように金属製の加工材の所定箇所に切欠きを設け、この切欠きを設けた箇所を曲げ加工することによって枠状にしたものである。ミドルキャビネット１０７（以下、フレームともいう。）の曲げ加工部（コーナ部）には後述するフレーム補強部材２０が固着されている。また、バックライトシャーシ１０６は、金属の板状体を所定形状に加工したものであって、図示しない光源（例えばＬＥＤエッジライト）や、映像駆動回路、バッテリ等が配置されている。そして、本実施形態では、バックライトシャーシ１０６にはネジ用ボス１０９が設けられており、リアキャビネット１０８からのネジ１１０によって、バックライトシャーシ１０６とミドルキャビネット１０７がリアキャビネットに対して固定されている。
【００１９】
また、導光板１０４は、バックライトシャーシ１０６に取り付けられた光源からの光を光学シート群１０３に導くためのものであり、導光板１０４と光学シート群１０３によって光源からの光を液晶パネル１０２の背面に均一に照射している。液晶パネル１０２は、バックライトシャーシ１０６に取り付けた映像駆動回路からの信号によって、光の透過率を増減させることによって像を表示している。
【００２０】
（第１の実施形態）
次に、本発明のフレームとそのフレーム補強部材について説明する。
図３は、本発明に係るフレームのフレーム材と曲げ加工部の一例を説明するための図である。図３において、図３（Ａ）は曲げ加工前のフレーム材を、図３（Ｂ）はフレーム材の断面図を、また、図３（Ｃ）は曲げ加工後のフレーム材を示す。本実施形態では、フレーム材１０は断面略Ｌ字状の押し出し成形されたアルミニウムあるいはステンレスからなる断面Ｌ字状の長尺の部材であって、断面Ｌ字状の一辺には外側に向けてリブ１６が形成されている。このリブ１６はフレーム材１０を曲げ加工した際に枠状の突出部となり、リアキャビネット１０８をその中に位置決めするためのものであり、フレーム材１０はリブを有していなくてもよい。
【００２１】
フレーム材１０のリブ１６を設けた辺には、曲げ加工位置に曲げ孔部１１とこの曲げ孔部１１につながるＶ字状のカット部１２が設けられている。ここで、Ｖ字状のカット部１２によって形成されたフレーム材１０の２辺１３，１４は、フレーム材１０の長手方向に対して略４５度の角度をなすように形成される。したがって、Ｖ字状のカット部１２の２辺１３，１４のなす角度は略９０度となる。また、Ｖ字状のカット部１２の両側には、後述するフレーム補強部材を固着するための固着用孔１５が設けられている。
【００２２】
そして、フレーム材１０は、Ｖ字状のカット部１２によって形成された２辺１３、１４が対向するまで曲げ加工がされる。フレーム材１０には、曲げ孔部１１とＶ字状のカット部１２を設けているため、フレーム材１０のリブを設けていない一辺の薄肉部１７を所定の曲率で曲げ加工を行うことが可能となっている。フレーム材１０は、テレビ装置１００の大きさに応じた長さにカットされ、四隅に上述のよう曲げ加工部Ａが形成されて枠状のフレーム(ミドルキャビネット１０７)が形成される。ここで、曲げ加工によって生じるフレーム材１０の２辺１３、１４が対向する箇所は、Ｖ字状のカット部１２の加工精度や曲げ加工を容易にするために、完全に密着した状態にすることは困難であり、間隙部Ｂが生じる。なお、本明細書において、対向の語は、フレーム材１０の２辺１３、１４が互いに密着している状態、すなわち当接している状態も含むものとして用いている。したがって、対向する箇所には部分的に当接することで部分的に間隙部が生じる場合も含まれる。
【００２３】
そして、図２で示すようにミドルキャビネット１０７の内部にバックライトシャーシ１０６を組み込んだ際に、バックライトシャーシ１０６に設けた光源からの光が曲げ加工部Ａの間隙を通して外部に漏れることになる。このため、本実施形態では、ミドルキャビネット１０７の曲げ加工部には、遮光部材を兼ねたフレーム補強部材が設けられる。図４は、本発明に係るフレーム補強部材の一例を示す図であり、図５は、本発明に係るフレーム補強部材とフレームとの固着構造の一例を説明するための図である。図５において、図５（Ａ）はフレームを背面から見た図であり、図５（Ｂ）は図５（Ａ）のＸ−Ｘ断面図である。
【００２４】
図４で示すように、フレーム補強部材２０は略Ｌ字状の例えばプラスチック等の樹脂材料からなる板状部材から構成されており、Ｌ字状の各辺にはフレーム材１０に設けた固着用孔１５に対応する位置にそれぞれフック２１が設けられている。このフック２１は、先端が鉤状になった割ピン形状をしており、フレーム材１０のリブ１６を設けた側の反対側から固着用孔１５に挿入することにより、フレーム材１０に固着される。
【００２５】
フレーム補強部材２０を、ミドルキャビネット１０７の曲げ加工部（コーナ部）に固着した際に、板状の中央部分はフレーム材１０の間隙部Ｂを覆い、間隙部Ｂの間隙を通して外部に漏れる光を遮光する遮光部２２となっている。また、フレーム補強部材２０のＬ字状の角部（頂部）には、フレーム材１０に設けた曲げ孔部１１に嵌る突起部２３が形成されており、この突起部２３が曲げ孔部１１に嵌ることにより、曲げ孔部１１からの光漏れを防ぐ遮光部として機能するとともに、曲げ孔部１１を埋めることにより外観を良好にする機能を果たしている。また、本実施形態では、フレーム補強部材の各辺の中央部にリアキャビネット１０８とバックライトシャーシ１０６を固着するためのネジなどを通す逃げ孔２４が形成されているが、この逃げ孔２４はリアキャビネット１０８とバックライトシャーシ１０６を他の箇所で固着する場合は必ずしも設ける必要はない。
【００２６】
このように、フレーム補強部材２０はミドルキャビネット１０７の曲げ加工部に固着された状態でテレビ装置１００に組み込まれるため、従来のように、ミドルキャビネット１０７単体でハンドリングを行うことが容易になり、また、テレビ装置に組み込む際にフレーム補強部材２０を取り外す手間を省くことが可能となっている。
【００２７】
（第２の実施形態）
次に、フレーム補強部材の他の例について説明する。図６は、本発明に係るフレーム補強部材とフレームとの固着構造の他の一例を説明するための図であり、図６（Ａ）はフレームを背面から見た図であり、図６（Ｂ）は図６（Ａ）のＹ−Ｙ断面図である。
図６に示すフレーム補強部材２０’は、図５に示すフレーム補強部材２０のフック２１の代わりに、コの字状のクリップ２５を備えており、その他の構成は図４、５に示すフレーム補強部材２０と同じである。そして、コの字状のクリップ２５がフレーム材１０を挟むとともに、クリップ２５の先端部内側に設けた突起２６が、フレーム材１０の固着用孔１５に嵌ることにより、フレーム補強部材２０をミドルキャビネット１０７に固着している。なお、クリップ２５に設けた突起２６は、フレーム補強部材２０’の板状部材側に設けてもよい。
【００２８】
（第３の実施形態）
次に、フレーム補強部材のさらに他の例について説明する。図７は、本発明に係るフレーム補強部材とフレームとの固着構造のさらに他の一例を説明するための図である。
図７に示すフレーム補強部材２０’’は、図５に示すフレーム補強部材２０のフック２１の代わりに、フレーム材１０のＶ字状のカット部１２の両側に設けた固着用孔１５に対向する位置に固着用孔２７を有しており、その他の構成は図４、５に示すフレーム補強部材２０と同じである。そして、フレーム材１０の固着用孔１５とフレーム補強部材の固着用孔２６とがプッシュリベット３０によって固着されることで、フレーム補強部材２０をミドルキャビネット１０７に固着している。
【符号の説明】
【００２９】
１０…フレーム材、１１…曲げ孔部、１２…Ｖ字状のカット部、１３，１４…辺、１５…固着用孔、１６…リブ、１７…薄肉部、２０…フレーム補強部材、２１…フック、２２…遮光部、２３…突起、２４…逃げ孔、２５…クリップ、２６…突起、２７…固着用孔、３０…プッシュリベット、１００…テレビ装置、１０１…フロントキャビネット、１０２…液晶パネル、１０３…光学シート類、１０４…導光板、１０５…ミドルシャーシ、１０７…ミドルキャビネット（フレーム）、１０８…リアキャビネット、１０９…ネジ用ボス、１１０…ネジ、２００…フレーム、２０１…治具、２０２…孔。
【図１】
2015191078.tif 000003
【図２】
2015191078.tif 000004
【図３】
2015191078.tif 000005
【図４】
2015191078.tif 000006
【図５】
2015191078.tif 000007
【図６】
2015191078.tif 000008
【図７】
2015191078.tif 000009
【図８】
2015191078.tif 000010